(57)【要約】【課題】ＤＳＲＣ車載機のユーザが、利用したい駐車場の空き区画情報を車中で取得することができる、便宜性の高い駐車場情報提供システムを得る。【解決手段】駐車場１１全体を撮影する駐車場監視カメラ４から映像を取得した画像処理装置５が、駐車場の空き区画の位置情報を含む駐車場情報を生成する。中央処理装置７は、該駐車場情報に基づいてＤＳＲＣ車載機１の表示画面に表示する車載機用画像を生成する。生成された車載機用画像は、ネットワーク６及び路側アンテナ３を介してＤＳＲＣ車載機１に送信され、駐車場１１の空き区画情報としてＤＳＲＣ車載機１の表示画面に表示される。【選択図】図１
2013171417.tif 000002
【特許請求の範囲】
【請求項１】
表示画面を有し車両に取り付けられたＤＳＲＣ車載機、
道路の路側に設置され前記ＤＳＲＣ車載機と通信を行う路側通信装置、
管理対象である駐車場全体を撮影する第１の撮影装置、
前記第１の撮影装置から取得した映像を解析し前記駐車場の空き区画を検出する画像処理装置、
前記路側通信装置及び前記画像処理装置とネットワークを介して接続された中央処理装置を備え、
前記画像処理装置は、前記駐車場の空き区画の位置情報を含む駐車場情報を生成して前記中央処理装置に送信し、前記中央処理装置は、該駐車場情報に基づいて前記ＤＳＲＣ車載機の前記表示画面に表示する車載機用画像を生成し、前記ＤＳＲＣ車載機は、前記中央処理装置から前記ネットワーク及び前記路側通信手段を介して車載機用画像を取得し、前記表示画面に表示することを特徴とする駐車場情報提供システム。
【請求項２】
前記ＤＳＲＣ車載機のユーザを識別する固有識別情報が格納され前記ＤＳＲＣ車載機に挿入されるＩＣカードと、前記ネットワークに接続され前記ＤＳＲＣ車載機のユーザが前記駐車場を利用する際の優先度を決定する利用者情報が記録された利用状況記録装置を備え、
前記路側通信装置は、前記ＤＳＲＣ車載機に挿入された前記ＩＣカードから前記駐車場を利用しようとするユーザの固有識別情報を読み取り、
前記中央処理手段は、前記路側通信装置から該ユーザの固有識別情報を取得し、前記ネットワークを介して該ユーザの利用者情報を前記利用状況記録装置に照会し、該ユーザの優先度に応じた車載機用画像を生成することを特徴とする請求項１記載の駐車場情報提供システム。
【請求項３】
前記利用状況記録装置に記録された利用者情報は、前記駐車場に付随する商業施設の利用回数、前記商業施設における商品の購入額、及び有料サービスの利用回数の少なくとも１つを含むことを特徴とする請求項２記載の駐車場情報提供システム。
【請求項４】
前記駐車場の入口周辺を撮影する第２の撮影装置を備え、
前記画像処理装置は、前記第２の撮影装置から取得した映像を解析し、前記駐車場の入口周辺における危険車両を検出した際に、該危険車両の位置情報を含む危険車両情報を生成して前記中央処理装置に送信し、
前記中央処理装置は、該危険車両情報に基づいて、前記ＤＳＲＣ車載機の前記表示画面に表示する車載機用画像と警告情報を生成し、
前記ＤＳＲＣ車載機は、前記中央処理装置から前記ネットワーク及び前記路側通信手段を介して車載機用画像と警告情報を取得し、前記表示画面に表示することを特徴とする請求項１〜請求項３のいずれか一項に記載の駐車場情報提供システム。
【請求項５】
表示画面を有し車両に取り付けられたＤＳＲＣ車載機、
道路の路側に設置され前記ＤＳＲＣ車載機と通信を行う路側通信装置、
管理対象である駐車場全体を撮影する撮影装置、
前記撮影装置から取得した映像を保存する画像蓄積装置、
前記路側通信装置及び前記画像蓄積装置とネットワークを介して接続された中央処理装置を備え、
前記中央処理装置は、前記画像蓄積手段から取得した映像を加工して前記ＤＳＲＣ車載機の前記表示画面に表示する車載機用画像を生成し、前記ＤＳＲＣ車載機は、前記中央処理装置から前記ネットワーク及び前記路側通信手段を介して車載機用画像を取得し、前記表示画面に表示することを特徴とする駐車場情報提供システム。
【発明の詳細な説明】
【技術分野】
【０００１】
本発明は、ＤＳＲＣ車載機の利用者に対して、サービスエリア、道の駅等の駐車場の情報を提供する駐車場情報提供システムに関する。
【背景技術】
【０００２】
近年、道路の路側に設置された路側通信装置との無線通信方式として、ＤＳＲＣ（Ｄｅｄｉｃａｔｅｄ  Ｓｈｏｒｔ  Ｒａｎｇｅ  Ｃｏｍｍｕｎｉｃａｔｉｏｎｓ、専用狭域通信）を使用した車載機の普及が進みつつある。ＤＳＲＣ車載機は、従来の車載機と比較して高速、大容量の通信が可能であり、今後、ＤＳＲＣ車載機を利用した多様なサービス提供が期待されている。ＤＳＲＣ車載機を利用したサービスの先行例として、例えば特許文献１には、ＤＳＲＣ車載機のユーザがイベント会場の駐車場を予約することが可能なパークアンドライドシステムが提示されている。
【０００３】
この先行例に示されるように、従来のＤＳＲＣ車載機のユーザがイベント会場等の駐車場を利用する際には、事前の予約が必要であった。その手順について、図８を用いて説明する。路側アンテナ３、旅行代理店３０、管理サーバ４０及び駐車料金精算機５０は、ネットワーク６を介してデータの送受信を行う。イベントに参加するＤＳＲＣ車載機１のユーザは、事前に旅行代理店３０でイベントの入場申し込みと会場の駐車場の予約を行う。
【０００４】
その際、ユーザは、旅行代理店３０のＩＣカード読み取り機３１により、ＩＣカード２１の識別情報を管理サーバ４０に登録する。管理サーバ４０の照合手段４１は、送信された識別情報をＩＣカードデータベース４３に照合し、有効な識別情報であるかどうかを確認する。続いてユーザは、旅行代理店３０の駐車場予約端末３２により、管理サーバ４０の駐車場予約手段４２に対して駐車場の予約を申し込む。駐車場予約手段４２は、駐車場データベース４４を参照し、駐車場予約端末３２を経由して、ユーザに駐車場の空き情報を通知し、ユーザは、空き情報を参照しながら駐車場の予約を行う。
【０００５】
駐車場利用当日、ユーザは、ＤＳＲＣ車載機１にＩＣカード２１を挿入し、ＤＳＲＣ車載機１が取り付けられた車両でイベント会場に向かう。イベント会場の駐車場へ進入する際、駐車料金精算機５０は、ＩＣカード２１の識別情報を受信し、駐車場データベース４４を参照し、登録されたＩＣカードであることを確認する。確認の結果、ＩＣカード２１が駐車場を予約する際に登録されたＩＣカードであることが判明すると、駐車料金精算機５０は駐車場のゲートを開ける。
【先行技術文献】
【特許文献】
【０００６】
【特許文献１】特開２００４−３５５４７８号公報
【発明の概要】
【発明が解決しようとする課題】
【０００７】
上記のように、従来、ＤＳＲＣ車載機のユーザが駐車場を利用する際には、車中で駐車場の空き情報等を取得することができず、事前に駐車場予約端末等から予約をしておく必要があった。すなわち、ＤＳＲＣ車載機のユーザにサービスを提供するシステムは、サービスエリア、パーキングエリア及び道の駅等の大型駐車場において、事前の予約なしに駐車場を利用する場合に対応していなかった。このため、駐車場をすぐに利用したいユーザにとっては不便であり、ＤＳＲＣ車載機の普及を進めるためには、さらなる便宜性の向上が必要であった。
【０００８】
本発明は、上記のような課題を解決するためになされたものであり、ＤＳＲＣ車載機のユーザが、利用したい駐車場の空き区画情報を車中で取得することができる、便宜性の高い駐車場情報提供システムを得ることを目的とする。
【課題を解決するための手段】
【０００９】
本発明に係る駐車場情報提供システムは、表示画面を有し車両に取り付けられたＤＳＲＣ車載機と、道路の路側に設置されＤＳＲＣ車載機と通信を行う路側通信装置と、管理対象である駐車場全体を撮影する第１の撮影装置と、第１の撮影装置から取得した映像を解析し駐車場の空き区画を検出する画像処理装置と、路側通信装置及び画像処理装置とネットワークを介して接続された中央処理装置を備え、画像処理装置は、駐車場の空き区画の位置情報を含む駐車場情報を生成して中央処理装置に送信し、中央処理装置は、該駐車場情報に基づいてＤＳＲＣ車載機の表示画面に表示する車載機用画像を生成し、ＤＳＲＣ車載機は、中央処理装置からネットワーク及び路側通信手段を介して車載機用画像を取得し、表示画面に表示するものである。
【００１０】
また、本発明に係る駐車場情報提供システムは、表示画面を有し車両に取り付けられたＤＳＲＣ車載機と、道路の路側に設置されＤＳＲＣ車載機と通信を行う路側通信装置と、管理対象である駐車場全体を撮影する撮影装置と、撮影装置から取得した映像を保存する画像蓄積装置と、路側通信装置及び画像蓄積装置とネットワークを介して接続された中央処理装置を備え、中央処理装置は、画像蓄積手段から取得した映像を加工してＤＳＲＣ車載機の表示画面に表示する車載機用画像を生成し、ＤＳＲＣ車載機は、中央処理装置からネットワーク及び路側通信手段を介して車載機用画像を取得し、表示画面に表示するものである。
【発明の効果】
【００１１】
本発明によれば、駐車場全体を撮影する第１の撮影装置から映像を取得した画像処理装置が、駐車場の空き区画の位置情報を含む駐車場情報を生成し、中央処理装置が該駐車場情報に基づいてＤＳＲＣ車載機の表示画面に表示する車載機用画像を生成することにより、ＤＳＲＣ車載機のユーザが、これから利用しようとする駐車場の空き区画の位置を表示画面で確認することが可能な、便宜性の高い駐車場情報提供システムを得ることができる。
【００１２】
また、駐車場全体を撮影する撮影装置から取得した映像を画像蓄積装置に保存し、中央処理装置が画像蓄積手段から取得した映像を加工してＤＳＲＣ車載機の表示画面に表示する車載機用画像を生成することにより、ＤＳＲＣ車載機のユーザが、これから利用しようとする駐車場のカメラ映像を表示画面で見ることができ、駐車場の混雑状況を確認することが可能な、便宜性の高い駐車場情報提供システムを得ることができる。
【図面の簡単な説明】
【００１３】
【図１】本発明の実施の形態１に係る駐車場情報提供システムを示す図である。
【図２】本発明の実施の形態１に係る駐車場情報提供システムにおいてＤＳＲＣ車載機の表示画面に表示される画像例を示す図である。
【図３】本発明の実施の形態２に係る駐車場情報提供システムを示す図である。
【図４】本発明の実施の形態３に係る駐車場情報提供システムを示す図である。
【図５】本発明の実施の形態３に係る駐車場情報提供システムにおいてＤＳＲＣ車載機の表示画面に表示される画像例を示す図である。
【図６】本発明の実施の形態３に係る駐車場情報提供システムにおいてＤＳＲＣ車載機の表示画面に表示される画像例を示す図である。
【図７】本発明の実施の形態４に係る駐車場情報提供システムを示す図である。
【図８】ＤＳＲＣ車載機のユーザにサービスを提供する従来のシステムを示す図である。
【発明を実施するための形態】
【００１４】
実施の形態１．
以下に、本発明の実施の形態１に係る駐車場情報提供システムについて、図面に基づいて説明する。図１は、本実施の形態１に係る駐車場情報提供システムの構成を示している。本実施の形態１に係る駐車場情報提供システムは、ＤＳＲＣ車載機のユーザに対して駐車場の空き区画情報を提供するものであり、図１に示すように、車両２に取り付けられたＤＳＲＣ車載機１、路側通信装置である路側アンテナ３、第１の撮影装置である駐車場監視カメラ４、画像処理装置５、及び中央処理装置７を備えている。路側アンテナ３、画像処理装置５、及び中央処理装置７は、ネットワーク６を介して互いに通信可能に接続されている。
【００１５】
ＤＳＲＣ車載機１は、道路の路側に設置された路側アンテナ３と、ＤＳＲＣ（Ｄｅｄｉｃａｔｅｄ  Ｓｈｏｒｔ  Ｒａｎｇｅ  Ｃｏｍｍｕｎｉｃａｔｉｏｎｓ、専用狭域通信）を用いて無線通信を行う。ＤＳＲＣは、５．８ＧＨｚ帯のＩＭＳバンドを用いた無線通信方式である。ＤＳＲＣ車載機１は、従来の車載機と比較して高速、大容量の通信が可能であるため、従来の車載機では不可能であった路側アンテナ３からの画像の伝送が可能である。なお、ＤＳＲＣ車載機１は、従来の車載機と同様に、表示画面、音声出力装置（いずれも図示せず）を有している。
【００１６】
駐車場監視カメラ４は、管理対象である駐車場（本実施の形態１ではサービスエリア１０の駐車場１１）全体を俯瞰で撮影する。画像処理装置５は、駐車場監視カメラ４から取得した映像を解析し、駐車場１１の空き区画を検出する。さらに、駐車場１１の空き区画の位置情報を含む駐車場情報を生成し、中央処理装置７に送信する。
【００１７】
中央処理装置７は、駐車場情報取得手段７１と、車載機用画像生成手段７２を有している。駐車場情報取得手段７１は、画像処理装置５から駐車場情報を受信し、一時的に保存する。車載機用画像生成手段７２は、駐車場情報取得手段７１から駐車場情報を取得し、これに基づいて、ＤＳＲＣ車載機１の表示画面に表示する車載機用画像を生成する。
【００１８】
以上のように構成された駐車場情報提供システムにおいて、ＤＳＲＣ車載機１のユーザが、サービスエリア１０の駐車場１１の空き区画情報を取得する際の動作について説明する。まず、ユーザは、ＤＳＲＣ車載機１の表示画面に表示された地図画面上で、利用したい駐車場１１を選択する。なお、地図画面には、駐車場の空き区画情報を取得可能な駐車場（管理対象の駐車場）と、取得できない駐車場が区別されて表示されている。
【００１９】
一方、駐車場監視カメラ４は、常時あるいは所定の周期で管理対象であるサービスエリア１０の駐車場１１全体を俯瞰で撮影している。また、画像処理装置５は、駐車場監視カメラ４から所定の周期で映像を取得し、画像解析により駐車場１１の空き区画を検出し、その位置情報を含む駐車場情報を生成している。
【００２０】
続いて、ＤＳＲＣ車載機１は、ユーザが選択した駐車場１１の空き区画情報の提供を要求する信号（駐車場情報要求信号）を路側アンテナ３に対して送信する。路側アンテナ３は、受信した駐車場情報要求信号を、ネットワーク６を介して中央処理装置７の駐車場情報取得手段７１に送信する。駐車場情報要求信号を受信した駐車場情報取得手段７１は、要求された駐車場１１の駐車場情報を画像処理装置５から取得する。
【００２１】
さらに、中央処理装置７の車載機用画像生成手段７２は、駐車場情報取得手段７１によ
り取得した駐車場情報に基づいて、ＤＳＲＣ車載機１の表示画面に表示する車載機用画像を生成する。生成された車載機用画像は、ネットワーク６及び路側アンテナ３を介してＤＳＲＣ車載機１に送信され、駐車場１１の空き区画情報としてＤＳＲＣ車載機１の表示画面に表示される。図２は、ＤＳＲＣ車載機１の表示画面に表示される車載機用画像の例を示している。ユーザは、図２に示すような画像から駐車場１１の空き区画を確認することができる。
【００２２】
以上のように、本実施の形態１によれば、駐車場１１全体を撮影する駐車場監視カメラ４から映像を取得した画像処理装置５が、駐車場の空き区画の位置情報を含む駐車場情報を生成し、中央処理装置７が該駐車場情報に基づいてＤＳＲＣ車載機１の表示画面に表示する車載機用画像を生成することにより、ＤＳＲＣ車載機１のユーザが、これから利用しようとする駐車場１１の空き区画情報を表示画面で確認することが可能な、便宜性の高い駐車場情報提供システムが得られる。
【００２３】
実施の形態２．
図３は、本発明の実施の形態２に係る駐車場情報提供システムの構成を示している。図３中、図１と同一、相当部分には同一符号を付している。本実施の形態２に係る駐車場情報提供システムは、上記実施の形態１（図１）の画像処理装置５を備えておらず、替わりに画像蓄積装置８を備えている。また、中央処理装置７ａは、駐車場映像取得手段７３と映像加工手段７４を有している。その他の構成については上記実施の形態１と同様であるので説明を省略する。
【００２４】
画像蓄積装置８は、撮影装置である駐車場監視カメラ４からネットワーク６を介して所定の周期で取得した映像を保存している。中央処理装置７ａは、路側アンテナ３及び画像蓄積装置８とネットワーク６を介して接続されている。中央処理装置７ａの駐車場映像取得手段７３は、画像蓄積装置８から駐車場１１の映像を取得する。また、映像加工手段７４は、駐車場映像取得手段７３が画像蓄積手段８から取得した映像を加工し、ＤＳＲＣ車載機１の表示画面に表示する車載機用画像（カメラ映像）を生成する。
【００２５】
以上のように構成された駐車場情報提供システムにおいて、ＤＳＲＣ車載機１のユーザが、サービスエリア１０の駐車場１１のカメラ映像を取得する際の動作について説明する。まず、ユーザは、ＤＳＲＣ車載機１の表示画面に表示された地図画面上で、利用したい駐車場１１を選択する。なお、地図画面には、駐車場のカメラ映像を取得可能な駐車場（管理対象の駐車場）と、取得できない駐車場が区別されて表示されている。
【００２６】
一方、駐車場監視カメラ４は、常時あるいは所定の周期で管理対象であるサービスエリア１０の駐車場１１全体を俯瞰で撮影している。また、画像蓄積装置８は、駐車場監視カメラ４から所定の周期で映像を取得し保存している。
【００２７】
続いて、ＤＳＲＣ車載機１は、ユーザが選択した駐車場１１のカメラ映像の提供を要求する信号（駐車場映像要求信号）を路側アンテナ３に対して送信する。路側アンテナ３は、受信した駐車場映像要求信号を、ネットワーク６を介して中央処理装置７の駐車場映像取得手段７３に送信する。駐車場映像要求信号を受信した駐車場映像取得手段７３は、要求された駐車場１１の映像を画像蓄積装置８から取得する。
【００２８】
さらに、中央処理装置７の映像加工手段７４は、駐車場映像取得手段７３により取得した映像を加工し、ＤＳＲＣ車載機１の表示画面に表示する車載機用画像（カメラ映像）を生成する。生成された車載機用画像は、ネットワーク６及び路側アンテナ３を介してＤＳＲＣ車載機１に送信され、ＤＳＲＣ車載機１の表示画面に表示される。
【００２９】
以上のように、本実施の形態２によれば、駐車場監視カメラ４により撮影された駐車場１１全体の映像を画像蓄積装置８に保存し、この映像を中央処理装置７ａにより加工して車載機用画像を生成し、ＤＳＲＣ車載機１の表示画面に表示することにより、ＤＳＲＣ車載機１のユーザが、これから利用しようとする駐車場１１のカメラ映像を表示画面で見ることができ、駐車場１１の混雑状況を直感的に確認することが可能な、便宜性の高い駐車場情報提供システムが得られる。
【００３０】
実施の形態３．
図４は、本発明の実施の形態３に係る駐車場情報提供システムの構成を示している。図４中、図１と同一、相当部分には同一符号を付している。本実施の形態３に係る駐車場情報提供システムは、上記実施の形態１（図１）と同様の構成に加え、ＤＳＲＣ車載機１のユーザが駐車場１１を利用する際の優先度を決定する利用者情報が記録された利用状況記録装置１４を備えている。また、サービスエリア１０の駐車場１１には、商業施設１３の利用頻度の高いＤＳＲＣ車載機１のユーザに対する優先駐車区画１２が設けられている。
【００３１】
ＤＳＲＣ車載機１には、ユーザを識別する固有識別情報が格納されたＩＣカード（図示せず）が挿入されている。ユーザは、駐車場１１に付随する商業施設１３にて商品の購入や有料サービスの提供を受ける際に、このＩＣカードを提示する。これにより、ユーザの商業施設１３の利用状況（利用者情報）が、利用状況記録装置１４に記録される。なお、利用者情報とは、駐車場１１に付随する商業施設１３の利用回数、商業施設１３における商品の購入額、及び有料サービスの利用回数の少なくとも１つを含むものである。
【００３２】
また、本実施の形態３における中央処理装置７ｂは、駐車場１１を利用しようとするユーザの利用者情報を利用状況記録装置１４に照会する利用状況確認手段７５を有している。その他の構成については、上記実施の形態１と同様であるので説明を省略する。
【００３３】
以上のように構成された駐車場情報提供システムにおいて、ＤＳＲＣ車載機１のユーザが、サービスエリア１０の駐車場１１の空き区画情報を取得する際の動作について説明する。まず、ユーザは、ＤＳＲＣ車載機１の表示画面に表示された地図画面上で、利用したい駐車場１１を選択する。ＤＳＲＣ車載機１は、ユーザが選択した駐車場１１の駐車場情報要求信号を路側アンテナ３に対して送信する。
【００３４】
路側アンテナ３は、駐車場情報要求信号を受信すると共に、ＤＳＲＣ車載機１に挿入されたＩＣカードからユーザの固有識別情報を読み取る。中央処理装置７ｂの利用状況確認手段７５は、路側アンテナ３から該ユーザの固有識別情報を取得し、この固有識別情報に基づいて、該ユーザの利用者情報を利用状況記録装置１４にネットワーク６を介して照会する。これにより、利用状況確認手段７５は、該ユーザが駐車場１１を利用する際の優先度を確認する。
【００３５】
続いて、中央処理装置７ｂの車載機用画像生成手段７２は、駐車場情報取得手段７１により取得した駐車場情報と、利用状況確認手段７５により確認した該ユーザの優先度に基づいて、ユーザの優先度に応じた車載機用画像を生成する。例えば、優先度の高いユーザに対しては、優先駐車区画１２の空き情報が示された車載機用画像を生成する。
【００３６】
本実施の形態３において、ＤＳＲＣ車載機１の表示画面に表示される車載機用画像の例を図５及び図６に示す。図５は、優先度の高いユーザに対して提供される画像であり、優先駐車区画の空き情報が示されている。従って、優先度の高いユーザは、優先駐車区画を利用することができる。一方、図６は、優先度の低いユーザに対して提供される画像であり、優先駐車区画の空き情報は示されておらず、駐車場は満車と表示される。
【００３７】
本実施の形態３によれば、上記実施の形態１と同様の効果に加え、駐車場１１に付随する商業施設１３の利用頻度の高いＤＳＲＣ車載機１のユーザは、駐車場１１が混雑している場合でも優先的に駐車が可能な優先駐車区画１２の情報を得ることができ、ＤＳＲＣ車載機１の利用価値が向上する。
【００３８】
実施の形態４．
図７は、本発明の実施の形態４に係る駐車場情報提供システムの構成を示している。図７中、図１と同一、相当部分には同一符号を付している。本実施の形態４に係る駐車場情報提供システムは、上記実施の形態１（図１）と同様の構成に加え、サービスエリア１０の駐車場１１の入口周辺を撮影する第２の撮影装置であるサービスエリア入口監視カメラ４ａを備えている。なお、本実施の形態４においても、駐車場１１全体を撮影する駐車場監視カメラ４（図１参照）を備えているが、図示を省略している。
【００３９】
サービスエリア入口監視カメラ４ａは、サービスエリア１０の駐車場１１の入口周辺を撮影し、画像処理装置５ａは、サービスエリア入口監視カメラ４ａから取得した映像を解析する。画像処理装置５ａは、駐車場１１の入口周辺における逆走車両や停止車両等の危険車両１５を検出した際に、危険車両１５の位置情報を含む危険車両情報を生成して中央処理装置７ｃに送信する。
【００４０】
中央処理装置７ｃにおいて、画像処理装置５ａから危険車両情報を取得した駐車場情報取得手段７１は、該危険車両情報を車載機用画像生成手段７２と警告手段７６に通知する。車載機用画像生成手段７２は、該危険車両情報に基づいて、ＤＳＲＣ車載機１の表示画面に表示する車載機用画像を生成する。また、警告手段７６は、危険車両情報に基づいて警告情報を生成する。
【００４１】
ＤＳＲＣ車載機１は、中央処理装置７ｃからネットワーク６及び路側アンテナ３を介して車載機用画像と警告情報を取得し、表示画面に表示する。表示画面には、危険車両１５の位置と警告情報が示される。また、ユーザへの警告情報の通知は表示のみでなく、音声によって危険車両１５の存在を警告するようにしてもよい。
【００４２】
本実施の形態４によれば、上記実施の形態１と同様の効果に加え、ＤＳＲＣ車載機１のユーザは、駐車場１１に存在する危険車両の存在を事前に知ることができるため、ＤＳＲＣ車載機１の利用価値が向上する。なお、本発明は、その発明の範囲内において、各実施の形態を自由に組み合わせたり、各実施の形態を適宜、変形、省略したりすることが可能である。
【産業上の利用可能性】
【００４３】
本発明は、ＤＳＲＣ車載機のユーザに対して、サービスエリア及び道の駅等の駐車場の空き区画情報を提供する駐車場情報提供システムとして利用することができる。
【符号の説明】
【００４４】
１  ＤＳＲＣ車載機、２  車両、３  路側アンテナ、４  駐車場監視カメラ、
４ａ  サービスエリア入口監視カメラ、５、５ａ  画像処理装置、６  ネットワーク、
７、７ａ、７ｂ、７ｃ  中央処理装置、８  画像蓄積装置、１０  サービスエリア、
１１  駐車場、１２  優先駐車区画、１３  商業施設、１４  利用状況記録装置、
２１  ＩＣカード、３０  旅行代理店、３１  ＩＣカード読み取り機、
３２  駐車場予約端末、４０  管理サーバ、４１  照合手段、４２  駐車場予約手段、
４３  ＩＣカードデータベース、４４  駐車場データベース、５０  駐車料金精算機、
７１  駐車場情報取得手段、７２  車載機用画像生成手段、７３  駐車場映像取得手段、７４  映像加工手段、７５  利用状況確認手段、７６  警告手段。
【図１】
2013171417.tif 000003
【図２】
2013171417.tif 000004
【図３】
2013171417.tif 000005
【図４】
2013171417.tif 000006
【図５】
2013171417.tif 000007
【図６】
2013171417.tif 000008
【図７】
2013171417.tif 000009
【図８】
2013171417.tif 000010